(57)【特許請求の範囲】
【請求項１】
かご室内の天井に設けられた停電灯と、
前記停電灯へ電源を供給するバッテリと、
前記かご室内のかご操作盤の上部に設けられ、前記停電灯よりも容量が少なく、停電中を表わす文章を表示する表示器と、
停電を検出した場合には前記停電灯に前記バッテリより電源を供給して点灯させ、前記バッテリの電圧が前記停電灯の照度が確保できなくなるまで低下したときには前記バッテリの電源供給を前記停電灯から前記表示器に切り換える切換装置と
を備えたことを特徴とするエレベーター停電灯装置。
【請求項２】
かご室内の天井に設けられた停電灯と、
前記停電灯へ電源を供給するバッテリと、
前記停電灯の照度を検出する照度センサーと、
前記かご室内のかご操作盤内に設けられ、前記停電灯よりも容量が少ないかご押釦ランプと、
停電を検出した場合には前記停電灯に前記バッテリより電源を供給して点灯させ、前記照度センサーにより前記停電灯の照度が所定以下に低下したことを検出したときには前記バッテリの電源供給を前記停電灯から前記かご押釦ランプに切り換える切換装置と、
点灯している前記かご押釦ランプが押されている時のみ回路電流を増加して前記かご押釦ランプの照度を増加させる電流調整装置と
を備えたことを特徴とするエレベーター停電灯装置。
【請求項３】
かご室内の天井に設けられた停電灯と、
前記停電灯へ電源を供給するバッテリと、
前記停電灯の照度を検出する照度センサーと、
前記かご室内のかご操作盤内に設けられ、前記停電灯よりも容量が少ないかご押釦ランプと、
停電を検出した場合には前記停電灯に前記バッテリより電源を供給して点灯させ、前記照度センサーにより前記停電灯の照度が所定以下に低下したことを検出したときには前記バッテリの電源供給を前記停電灯から前記かご押釦ランプに切り換える切換装置と、
前記かご室内のかご操作盤の上部に設けられ、前記停電灯よりも容量が少なく、停電中を表わす文章を表示する表示器と、
点灯している前記かご押釦ランプが押されている時のみ前記バッテリの電源の供給先を前記かご押釦ランプから前記表示器へ切り換える表示切換装置と
を備えたことを特徴とするエレベーター停電灯装置。
【請求項４】
かご室内の天井に設けられた停電灯と、
前記停電灯へ電源を供給するバッテリと、
前記かご室内のかご操作盤内に設けられ、前記停電灯よりも容量が少ないかご押釦ランプと、
前記かご押釦ランプへ電源を供給する補助バッテリと、
停電を検出した場合には前記停電灯に前記バッテリより電源を供給して点灯させ、前記バッテリの電圧が前記停電灯の照度が確保できなくなるまで低下したときには前記補助バッテリから前記かご押釦ランプへ電源を供給するように切り換える切換装置と
を備えたことを特徴とするエレベーター停電灯装置。
【発明の詳細な説明】
【０００１】
【発明の属する技術分野】
この発明は、エレベーターの停電灯で停電時３０分経過後バッテリの放電により、停電灯が消灯しても、補助灯を点灯してバックアップすることにより、かご内にいる利用者の不安感を低減させるエレベーター停電灯装置に関するものである。
【０００２】
【従来の技術】
従来のエレベーター停電灯装置について図８を参照しながら説明する。図８は、従来のエレベーター停電灯装置の全体構成を示す図である。
【０００３】
図８において、符号１はかご室、符号２はかご扉、符号４はかご操作盤、符号３はかご操作盤４に付いているかご押釦である。また、符号５は切換装置、符号６はバッテリ、符号７は停電灯（非常灯）である。
【０００４】
つぎに、従来のエレベーター停電灯装置の動作について説明する。従来は、地域停電や館内停電になると、切換装置５が停電を検出し、停電灯７にバッテリ６より電源を供給して点灯させる。
【０００５】
しかし、法令では所定の照度を３０分間は供給することを義務付けているので、３０分経過後は停電灯７が消灯し、かご室１が暗闇になる可能性があり、かご室１内にいる利用者に不安感を募らせる可能性が高く、改善が必要である。
【０００６】
すなわち、従来は、地域停電や館内停電があると、エレベーターは停止し、かご内に人がいると閉じ込められる。エレベーターのかご内の照明は停電灯７が点灯し、ある程度の照明は確保されるが、法規制では３０分となっており、３０分を経過すると消灯し、かご内は暗闇になることがあり、かご内の利用者は不安感を著しく抱くことになる。
【０００７】
【発明が解決しようとする課題】
上述したような従来のエレベーター停電灯装置では、停電時に停電灯７が点灯してある程度の照明は確保されるが、法規制では３０分となっており、３０分を経過すると停電灯７が消灯してかご内は暗闇になることがあり、かご内の利用者は不安感を著しく抱くという問題点があった。
【０００８】
この発明は、前述した問題点を解決するためになされたもので、停電時、従来、エレベーターのかご内は停電灯が点灯するが、法規制で３０分となっているため、３０分後は消灯し、かご内は暗闇になるので、補助灯を点灯させ、かご内の利用者の不安感を低減、解消することができるエレベーター停電灯装置を得ることを目的とする。
【０００９】
【課題を解決するための手段】
この発明に係るエレベーター停電灯装置は、かご室内の天井に設けられた停電灯と、前記停電灯へ電源を供給するバッテリと、前記かご室内のかご操作盤の上部に設けられ、前記停電灯よりも容量が少なく、停電中を表わす文章を表示する表示器と、停電を検出した場合には前記停電灯に前記バッテリより電源を供給して点灯させ、前記バッテリの電圧が前記停電灯の照度が確保できなくなるまで低下したときには前記バッテリの電源供給を前記停電灯から前記表示器に切り換える切換装置とを備えたものである。
【００１２】
また、この発明に係るエレベーター停電灯装置は、かご室内の天井に設けられた停電灯と、前記停電灯へ電源を供給するバッテリと、前記停電灯の照度を検出する照度センサーと、前記かご室内のかご操作盤内に設けられ、前記停電灯よりも容量が少ないかご押釦ランプと、停電を検出した場合には前記停電灯に前記バッテリより電源を供給して点灯させ、前記照度センサーにより前記停電灯の照度が所定以下に低下したことを検出したときには前記バッテリの電源供給を前記停電灯から前記かご押釦ランプに切り換える切換装置と、点灯している前記かご押釦ランプが押されている時のみ回路電流を増加して前記かご押釦ランプの照度を増加させる電流調整装置とを備えたものである。
【００１３】
また、この発明に係るエレベーター停電灯装置は、かご室内の天井に設けられた停電灯と、前記停電灯へ電源を供給するバッテリと、前記停電灯の照度を検出する照度センサーと、前記かご室内のかご操作盤内に設けられ、前記停電灯よりも容量が少ないかご押釦ランプと、停電を検出した場合には前記停電灯に前記バッテリより電源を供給して点灯させ、前記照度センサーにより前記停電灯の照度が所定以下に低下したことを検出したときには前記バッテリの電源供給を前記停電灯から前記かご押釦ランプに切り換える切換装置と、前記かご室内のかご操作盤の上部に設けられ、前記停電灯よりも容量が少なく、停電中を表わす文章を表示する表示器と、点灯している前記かご押釦ランプが押されている時のみ前記バッテリの電源の供給先を前記かご押釦ランプから前記表示器へ切り換える表示切換装置とを備えたものである。
【００１４】
また、この発明に係るエレベーター停電灯装置は、かご室内の天井に設けられた停電灯と、前記停電灯へ電源を供給するバッテリと、前記かご室内のかご操作盤内に設けられ、前記停電灯よりも容量が少ないかご押釦ランプと、前記かご押釦ランプへ電源を供給する補助バッテリと、停電を検出した場合には前記停電灯に前記バッテリより電源を供給して点灯させ、前記バッテリの電圧が前記停電灯の照度が確保できなくなるまで低下したときには前記補助バッテリから前記かご押釦ランプへ電源を供給するように切り換える切換装置とを備えたものである。
【００１７】
【発明の実施の形態】
実施の形態１．
この発明の実施の形態１について図１を参照しながら説明する。図１は、この発明の実施の形態１の全体構成を示す図である。なお、各図中、同一符号は同一又は相当部分を示す。図１において、符号１１は停電中を表示する液晶等の表示器である。
【００１８】
つぎに、この実施の形態１の動作について説明する。この実施の形態１では、従来例と同様に、地域停電や館内停電が発生すると、切換装置５が停電を検出し、停電灯７にバッテリ６より電源を供給して点灯させる。
【００１９】
切換装置５は、バッテリ６の電圧が低下し、停電灯７の照度が確保できなくなる電圧まで低下したと判断した時には、バッテリ６の電源供給を停電灯７より、容量の少ない表示器１１に切り換える。
【００２０】
これにより、照度は低下するが、バッテリ６の消耗を少なくし、かご室１が暗闇にならない時間を延長するものである。表示器１１の表示内容は、例えば、「停電中です。暫くお待ち下さい。」などが良い。
【００２１】
この発明の実施の形態１は、前述したように、停電灯７の消灯後、バックアップとして補助灯（表示器１１）を更に一定時間点灯させるので、かご内にいる利用者の不安感を低減、解消することができるという効果を奏する。
【００２２】
実施の形態２．
この発明の実施の形態２について図２を参照しながら説明する。図２は、この実施の形態２の全体構成を示す図である。
【００２３】
上記実施の形態１では、切換装置５によるバッテリ６の供給先を停電灯７から表示器１１へ切り換えたが、この実施の形態２では、切換装置５によるバッテリ６の供給先を停電灯７から、戸開釦、戸閉釦等のかご押釦（ランプ）３へ切り換えたものである。
【００２４】
かご押釦３の方が、表示器１１より一般的に容量が少なく、かご室１が暗闇にならない時間をより延長できる。
【００２５】
実施の形態３．
この発明の実施の形態３について図３を参照しながら説明する。図３は、この実施の形態３の全体構成を示す図である。
【００２６】
上記実施の形態２までは、停電灯７の照度をバッテリ６の電圧で検出していたが、この実施の形態３では、停電灯７の照度を照度センサー８で検出するものである。
【００２７】
照度センサー８が停電灯７の照度が所定以下に低下したら、切換装置５によりバッテリ６の電源の供給先を停電灯７からかご押釦３へ切り換えるものである。
【００２８】
この実施の形態３によれば、停電灯７の照度の低下を、バッテリ６の電圧低下よりも確実に検出できる。
【００２９】
実施の形態４．
この発明の実施の形態４について図４を参照しながら説明する。図４は、この実施の形態４の全体構成を示す図である。
【００３０】
上記実施の形態３では、照度センサー８が停電灯７の照度が所定以下に低下したら、切換装置５によりバッテリ６の電源の供給先を停電灯７からかご押釦３へ切り換え、かご押釦３が点灯するが、この実施の形態４では、利用者が不安になって、点灯しているかご押釦３を押すと、電流調整装置９が動作し、回路電流が増加してかご押釦３の照度を増加させるものである。
【００３１】
この行為により、バッテリ６の消耗は進むが、かご押釦３の照度を変化させることにより、利用者の不安を和らげるものである。この機能は、かご押釦３を押している時のみ動作することでバッテリ６の消耗を防止できる。
【００３２】
実施の形態５．
この発明の実施の形態５について図５を参照しながら説明する。図５は、この実施の形態５の全体構成を示す図である。
【００３３】
この実施の形態５では、利用者が不安になり、点灯しているかご押釦３を押すと、表示切換装置１０が動作し、バッテリ６の電源の供給先をかご押釦３から表示器１１へ切り換えるものである。
【００３４】
これにより、利用者はメッセージを見ることで不安を和らげることができる。この機能は、かご押釦３を押している時のみ動作することでバッテリ６の消耗を防止できる。
【００３５】
実施の形態６．
この発明の実施の形態６について図６を参照しながら説明する。図６は、この実施の形態６の全体構成を示す図である。
【００３６】
この実施の形態６では、補助バッテリ１２を使用するものである。バッテリ６は、停電灯７の照度を確保するので消耗が激しいので、上記実施の形態５までの照度確保も長時間は期待できない。
【００３７】
そこで、上記実施の形態２に補助バッテリ１２を追加した内容で説明する。停電時、切換装置５がバッテリ６の電圧低下を検出すると、切換装置５はかご押釦３へは補助バッテリ１２から電源を供給する。
【００３８】
この補助バッテリ１２は、法規による照度は確保できないが、切換装置５による切り換えまで電源を消耗していないので、長時間照度を確保することが期待できる。
【００３９】
実施の形態７．
この発明の実施の形態７について図７を参照しながら説明する。図７は、この実施の形態７の全体構成を示す図である。
【００４０】
遠隔監視装置１３付きの場合は、停電が発生し、かご内に利用者が閉じ込められた場合には、発報装置１４から外部受信装置１５へ発報し、作業者を出動させているが、切換装置５により、電源供給先が停電灯７から表示器１１やかご押釦３へ切り換わった場合は、再度、発報装置１４から外部受信装置１５へ発報し、かご室１の照度が低下したことを外部へ知らせ、作業者を急がせることができる。
【００４１】
【発明の効果】
この発明に係るエレベーター停電灯装置は、以上説明したとおり、かご室内の天井に設けられた停電灯と、前記停電灯へ電源を供給するバッテリと、前記かご室内のかご操作盤の上部に設けられ、前記停電灯よりも容量が少なく、停電中を表わす文章を表示する表示器と、停電を検出した場合には前記停電灯に前記バッテリより電源を供給して点灯させ、前記バッテリの電圧が前記停電灯の照度が確保できなくなるまで低下したときには前記バッテリの電源供給を前記停電灯から前記表示器に切り換える切換装置とを備えたので、かご室内にいる利用者の不安感を低減することができるという効果を奏する。
【００４４】
また、この発明に係るエレベーター停電灯装置は、以上説明したとおり、かご室内の天井に設けられた停電灯と、前記停電灯へ電源を供給するバッテリと、前記停電灯の照度を検出する照度センサーと、前記かご室内のかご操作盤内に設けられ、前記停電灯よりも容量が少ないかご押釦ランプと、停電を検出した場合には前記停電灯に前記バッテリより電源を供給して点灯させ、前記照度センサーにより前記停電灯の照度が所定以下に低下したことを検出したときには前記バッテリの電源供給を前記停電灯から前記かご押釦ランプに切り換える切換装置と、点灯している前記かご押釦ランプが押されている時のみ回路電流を増加して前記かご押釦ランプの照度を増加させる電流調整装置とを備えたので、かご室内にいる利用者の不安感を低減することができるという効果を奏する。
【００４５】
また、この発明に係るエレベーター停電灯装置は、以上説明したとおり、かご室内の天井に設けられた停電灯と、前記停電灯へ電源を供給するバッテリと、前記停電灯の照度を検出する照度センサーと、前記かご室内のかご操作盤内に設けられ、前記停電灯よりも容量が少ないかご押釦ランプと、停電を検出した場合には前記停電灯に前記バッテリより電源を供給して点灯させ、前記照度センサーにより前記停電灯の照度が所定以下に低下したことを検出したときには前記バッテリの電源供給を前記停電灯から前記かご押釦ランプに切り換える切換装置と、前記かご室内のかご操作盤の上部に設けられ、前記停電灯よりも容量が少なく、停電中を表わす文章を表示する表示器と、点灯している前記かご押釦ランプが押されている時のみ前記バッテリの電源の供給先を前記かご押釦ランプから前記表示器へ切り換える表示切換装置とを備えたので、かご室内にいる利用者の不安感を低減することができるという効果を奏する。
【００４６】
また、この発明に係るエレベーター停電灯装置は、以上説明したとおり、かご室内の天井に設けられた停電灯と、前記停電灯へ電源を供給するバッテリと、前記かご室内のかご操作盤内に設けられ、前記停電灯よりも容量が少ないかご押釦ランプと、前記かご押釦ランプへ電源を供給する補助バッテリと、停電を検出した場合には前記停電灯に前記バッテリより電源を供給して点灯させ、前記バッテリの電圧が前記停電灯の照度が確保できなくなるまで低下したときには前記補助バッテリから前記かご押釦ランプへ電源を供給するように切り換える切換装置とを備えたので、かご室内にいる利用者の不安感を低減することができるという効果を奏する。
【図面の簡単な説明】
【図１】  この発明の実施の形態１に係るエレベーター停電灯装置の全体構成を示す図である。
【図２】  この発明の実施の形態２の全体構成を示す図である。
【図３】  この発明の実施の形態３の全体構成を示す図である。
【図４】  この発明の実施の形態４の全体構成を示す図である。
【図５】  この発明の実施の形態５の全体構成を示す図である。
【図６】  この発明の実施の形態６の全体構成を示す図である。
【図７】  この発明の実施の形態７の全体構成を示す図である。
【図８】  従来のエレベーター停電灯装置の全体構成を示す図である。
【符号の説明】
１  かご室、２  かご扉、３  かご押釦、４  かご操作盤、５  切換装置、６バッテリ、７  停電灯、８  照度センサー、９  電流調整装置、１０  表示切換装置、１１  表示器、１２  補助バッテリ、１３  遠隔監視装置、１４  発報装置、１５  外部受信装置。
【図１】
0003638747.tif 000002
【図２】
0003638747.tif 000003
【図３】
0003638747.tif 000004
【図４】
0003638747.tif 000005
【図５】
0003638747.tif 000006
【図６】
0003638747.tif 000007
【図７】
0003638747.tif 000008
【図８】
0003638747.tif 000009